(57)【要約】【課題】感染症患者が保有している病原菌が外部に漏れ出る事態を無くすだけでなく、感染症患者が一般の雑菌に起因した別の感染症を併発することを無くすことができる感染症病室およびその室内の給排気を制御する給排気制御装置を提供する。【解決手段】感染症病室は、病室1と、病室２への入退室に用いられる前室２と、病室１と前室２との間に配置されている遮断室５とを有し、それぞれの室内の気圧が、前室２よりも病室１が低く、かつ病室１よりも遮断室５が低い特殊陰圧になるように、保持されている。【選択図】図１
2020054791.tif 000002
【特許請求の範囲】
【請求項１】
感染症患者が収容される感染症病室であって、
該感染症病室は、病室と、該病室への入退室に用いられる前室と、該病室と該前室との間に配置されている遮断室とを有し、それぞれの室内の気圧が、該前室よりも該病室が低く、かつ該病室よりも該遮断室が低い特殊陰圧になるように、保持されている感染症病室。
【請求項２】
前記病室、前記遮断室および前記前室の排気を行う排気ファンが接続され、
該排気ファンと、前記病室、前記遮断室および前記前室との間にそれぞれ病室排気弁、遮断室排気弁、前室排気弁が配置され、
該病室排気弁および前室排気弁は、風量変更が可能な可変風量弁によって構成され、かつ該遮断室排気弁は、前記可変風量弁よりも高速排気が可能な高速可変風量弁によって構成されている請求項１記載の感染症病室。
【請求項３】
前記病室と前記遮断室との間に設けられている病室扉と、該病室扉が開放されたことを検出する病室扉センサと、
前記遮断室と前記前室との間に設けられている遮断室扉と、該遮断室扉が開放されたことを検出する遮断室扉センサと、
前記病室扉センサまたは前記遮断室扉センサのいずれか一方によって、前記病室扉または前記遮断室扉が開放されたことが検出されたときに、前記遮断室排気弁を作動させる排気制御手段とを更に有する請求項２記載の感染症病室。
【請求項４】
前記病室の気圧を検出する病室用室圧センサと、
前記遮断室の気圧を検出する遮断室用室圧センサと、
前記前室の気圧を検出する前室用室圧センサとを更に有し、
前記病室、前記遮断室および前記前室の給気を行う給気ファンが接続され、
該給気ファンと、前記病室、前記遮断室および前記前室との間にそれぞれ一定風量の給気を行う病室給気弁、遮断室給気弁、前室給気弁が配置され、
前記病室用室圧センサ、前記遮断室用室圧センサ、前記前室用室圧センサの検出結果にしたがい、前記病室給気弁、前記遮断室給気弁、前室給気弁および／または前記病室排気弁、前記遮断室排気弁、前記前室排気弁を前記特殊陰圧が保持されるように作動させる給排気制御手段を更に有する請求項２または３記載の感染症病室。
【請求項５】
前記病室、前記遮断室および前記前室の給気を行う給気ファンが接続され、
該給気ファンと、前記病室、前記遮断室および前記前室との間にそれぞれ一定風量の給気を行う病室給気弁、遮断室給気弁、前室給気弁が配置され、
該病室給気弁、遮断室給気弁、前室給気弁として、定風量制御装置がそれぞれ配置され、かつ前記病室排気弁、遮断室排気弁、前室排気弁として、可変風量制御装置がそれぞれ配置されている請求項２または３記載の感染症病室。
【請求項６】
前記病室の気圧を検出する病室用室圧センサと、
前記遮断室の気圧を検出する遮断室用室圧センサと、
前記前室の気圧を検出する前室用室圧センサとを更に有し、
前記病室用室圧センサ、前記遮断室用室圧センサ、前記前室用室圧センサの検出結果にしたがい、前記病室給気弁、前記遮断室給気弁、前室給気弁および／または前記病室排気弁、前記遮断室排気弁、前記前室排気弁を前記特殊陰圧が保持されるように作動させる定常モードに加え、前記病室用室圧センサ、前記遮断室用室圧センサ、前記前室用室圧センサの検出結果に従うことなく前記病室給気弁、前記遮断室給気弁、前室給気弁および／または前記病室排気弁、前記遮断室排気弁、前記前室排気弁を前記特殊陰圧が保持されるように作動させる簡易モードでも、前記病室給気弁、前記遮断室給気弁、前室給気弁および／または前記病室排気弁、前記遮断室排気弁、前記前室排気弁が作動するように構成されている給排気制御手段を更に有する請求項５記載の感染症病室。
【請求項７】
病室と、該病室への入退室に用いられる前室と、該病室と該前室との間に配置されている遮断室とを有する感染症患者が収容される感染症病室において、前記前室、前記病室、前記遮断室の順に室内の気圧が陰圧になる特殊陰圧が保持されるように、前記病室、前記遮断室、前記前室それぞれの給気および／または排気を制御する給排気制御装置。
【発明の詳細な説明】
【技術分野】
【０００１】
本発明は、病室と前室とを備え、感染症法の規定に基づき感染症患者が収容される感染症病室およびその室内の給排気を制御する給排気制御装置に関する。
【背景技術】
【０００２】
従来、感染症患者が収容される病室に関する技術が知られていた。この種の病室では、感染症患者が保有している病原菌が室外に流出することを防止するため、病室に隣接する前室が設けられ、室外、前室、病室の順番に気圧が低くなる（陰圧になる）ように気圧が制御されている（例えば、特許文献１、特許文献２参照）。なお、以下、本願では、病室と前室とを備えた感染症法の規定に基づき、感染症患者が収容される病室を「感染症病室」ともいう。
【０００３】
また、病室の中に他の部分から仕切られた領域が形成され、その領域内の気圧が陰圧または陽圧に切り替え可能な無菌病室に関する技術も知られていた（例えば、特許文献３参照）。さらに、病室として利用される隔離室と、隔離室に隣接する減圧室と、減圧室に隣接する一般室とが設けられ、隔離室と一般室とが等気圧に保たれ、かつ減圧室が隔離室および一般室よりも低気圧に保たれるように、気圧制御を行う技術もあった（特許文献４参照）。
【０００４】
一方、感染症病室では、病室や前室の気圧を制御することが必要である。この場合、例えば、特許文献２に開示されているように、差圧調整ダンパが用いられて、病室や前室の気圧が制御されている。また、室圧を制御する技術に関しては、給気バルブ、排気バルブを用いて室内への給気風量や排気風量を制御する技術や、ドアを介して隣接する２室のドア開度を検出して２室を所定圧力に維持する技術もあった（特許文献５、特許文献６参照）。
【先行技術文献】
【特許文献】
【０００５】
【特許文献１】特開２００３−２４３９６号公報
【特許文献２】特開２００３−５００３１号公報
【特許文献３】特開２００４−１５９７３０号公報
【特許文献４】特開２０１０−２４０２８２号公報
【特許文献５】特開２０１６−１６１１５６号公報
【特許文献６】特開２０１６−１６９８７４号公報
【発明の概要】
【発明が解決しようとする課題】
【０００６】
そして、従来、図６に示すような感染症病室１００があった。図６は、従来の感染症病室１００を示す平面図である。感染症病室１００は、病室１０１と、病室１０１に隣接している前室１０２と、洗面・トイレ室１０３とを有し、廊下１０４に沿って設けられている。感染病患者は、病室１０１及び洗面・トイレ室１０３の領域内で入院生活をおくる。
【０００７】
感染症病室１００では、感染病患者から出る病原菌が感染症病室１００の外に漏れないように、病室１０１内及び洗面・トイレ室１０３の空気圧が陰圧に保たれている。また、病室１０１の空気を屋外に排出する病室吸込みダクト１１２と、トイレ吸込みダクト１１５が設置されており、図示しない高性能フィルタが双方それぞれに内蔵されている。病原菌がその高性能フィルタに捕集されるため、室内の浮遊菌が外部に排出されない。
【０００８】
また、病室１０１及び前室１０２には、外気を室内に取り入れる病室吹出しダクト１１１、前室吹出しダクト１１３がそれぞれ設置されている。その病室吹出しダクト１１１、前室吹出しダクト１１３に図示しない高性能フィルタがそれぞれ内蔵されているため、病室１０１及び前室１０２には、無菌状態の清浄空気が取り込まれる。前室１０２には、前室吸込みダクト１１４が設置されている。
【０００９】
そして、医者や看護師、医療スタッフは、感染病患者の治療等のために入室するときは、廊下１０４から前室１０２に入る。医者や看護師、医療スタッフは、感染防止のため、その前室１０２で全身を防護する無菌防護服に着替え、そのあと、病室１０１に入る。
【００１０】
また、感染症病室１００は、入出の際、病室１０１の空気が外部に漏れ出ないように、前室１０２につながる廊下扉１２１と前室扉１２２が同時に開かない構造を備えている。感染症病室１００は、廊下扉１２１と前室扉１２２の一方が開いているときは、他方が開放されずに閉じている構造を備えている。
【００１１】
そして、感染症病室１００は、病室１０１の内部が陰圧に保たれ、かつ病室１０１、前室１０２、廊下１０４の順に気圧が高くなるように、それぞれ室内の気圧が制御されている。
【００１２】
感染症病室１００では、病室１０１の内部が陰圧に保たれているため、感染症患者が保有する病原菌が外部に漏れ出ることがない。
【００１３】
しかしながら、病室１０１の内部が陰圧に保たれているがゆえに、病室１０１の外から、すなわち、廊下１０４、前室１０２を通って外部の空気が病室１０１の内部に流れこみやすい。すると、空気中に浮遊している一般の雑菌（一般細菌ともいう）や塵、埃などがその外部の空気とともに病室１０１の内部に混入し、病室１０１内の一般の雑菌が前室１０２よりも増えてしまう。すると、病室１０１に収容されている感染症の患者がその感染症とは別の病原菌に感染するおそれが高くなる。その上、患者の体力が感染症によって衰えていたり、患者が免疫不全を併発しているおそれもあるため、感染症患者は、健常者よりも重症化しやすい。
【００１４】
そこで、本発明は、上記課題を解決するためになされたもので、感染症患者が保有している病原菌が外部に漏れ出る事態を無くすだけでなく、感染症患者が一般の雑菌に起因した別の感染症を併発することを無くすことができる感染症病室およびその室内の給排気を制御する給排気制御装置を提供することを目的とする。
【課題を解決するための手段】
【００１５】
上記課題を解決するため、本発明は、感染症患者が収容される感染症病室であって、その感染症病室は、病室と、その病室への入退室に用いられる前室と、その病室とその前室との間に配置されている遮断室とを有し、それぞれの室内の気圧が、その前室よりもその病室が低く、かつその病室よりもその遮断室が低い特殊陰圧になるように、保持されている感染症病室を提供する。
【００１６】
上記感染症病室の場合、病室、遮断室および前室の排気を行う排気ファンが接続され、その排気ファンと、病室、遮断室および前室との間にそれぞれ病室排気弁、遮断室排気弁、前室排気弁が配置され、その病室排気弁および前室排気弁は、風量変更が可能な可変風量弁によって構成され、かつその遮断室排気弁は、可変風量弁よりも高速排気が可能な高速可変風量弁によって構成されていることが好ましい。
【００１７】
また、病室と遮断室との間に設けられている病室扉と、その病室扉が開放されたことを検出する病室扉センサと、遮断室と前室との間に設けられている遮断室扉と、その遮断室扉が開放されたことを検出する遮断室扉センサと、病室扉センサまたは遮断室扉センサのいずれか一方によって、病室扉または遮断室扉が開放されたことが検出されたときに、遮断室排気弁を作動させる排気制御手段とを更に有することが好ましい。
【００１８】
さらに、病室の気圧を検出する病室用室圧センサと、遮断室の気圧を検出する遮断室用室圧センサと、前室の気圧を検出する前室用室圧センサとを更に有し、病室、遮断室および前室の給気を行う給気ファンが接続され、その記給気ファンと、病室、遮断室および前室との間にそれぞれ一定風量の給気を行う病室給気弁、遮断室給気弁、前室給気弁が配置され、病室用室圧センサ、遮断室用室圧センサ、前室用室圧センサの検出結果にしたがい、病室給気弁、遮断室給気弁、前室給気弁および／または病室排気弁、遮断室排気弁、前室排気弁を特殊陰圧が保持されるように作動させる給排気制御手段を更に有することが好ましい。
【００１９】
また、上記感染症病室は、病室、遮断室および前室の給気を行う給気ファンが接続され、その給気ファンと、病室、遮断室および前室との間にそれぞれ一定風量の給気を行う病室給気弁、遮断室給気弁、前室給気弁が配置され、その病室給気弁、遮断室給気弁、前室給気弁として、定風量制御装置がそれぞれ配置され、かつ病室排気弁、遮断室排気弁、前室排気弁として、可変風量制御装置がそれぞれ配置されていることが好ましい。
【００２０】
さらに、病室の気圧を検出する病室用室圧センサと、遮断室の気圧を検出する遮断室用室圧センサと、前室の気圧を検出する前室用室圧センサとを更に有し、病室用室圧センサ、遮断室用室圧センサ、前室用室圧センサの検出結果にしたがい、病室給気弁、遮断室給気弁、給気弁および／または病室排気弁、遮断室排気弁、前室排気弁を特殊陰圧が保持されるように作動させる定常モードに加え、病室用室圧センサ、遮断室用室圧センサ、前室用室圧センサの検出結果に従うことなく病室給気弁、遮断室給気弁、給気弁および／または病室排気弁、遮断室排気弁、前室排気弁を特殊陰圧が保持されるように作動させる簡易モードでも、病室給気弁、遮断室給気弁、前室給気弁および／または病室排気弁、遮断室排気弁、前室排気弁が作動するように構成されている給排気制御手段を更に有することが好ましい。
【００２１】
そして、本発明は、病室と、その病室への入退室に用いられる前室と、その病室とその前室との間に配置されている遮断室とを有する感染症患者が収容される感染症病室において、前室、病室、遮断室の順に室内の気圧が陰圧になる特殊陰圧が保持されるように、病室、遮断室、前室それぞれの給気および／または排気を制御する給排気制御装置を提供する。
【発明の効果】
【００２２】
以上詳述したように、本発明によれば、感染症患者が保有している病原菌が外部に漏れ出る事態を無くすだけでなく、感染症患者が一般の雑菌に起因した別の感染症を併発することを無くすことができる感染症病室およびその室内の給排気を制御する給排気制御装置が得られる。
【図面の簡単な説明】
【００２３】
【図１】本発明の実施の形態に係る感染症病室の概略構成を示した平面図である。
【図２】本発明の実施の形態に係る感染症病室の概略構成および感染症病室の給排気に係る構成を示した機能ブロック図である。
【図３】感染症病室の給排気制御に係る構成を示した機能ブロック図である。
【図４】感染症病室に設けられている各種センサと、センサユニットとを示したブロック図である。
【図５】本発明の実施の形態に係る感染症病室がＣＡＶ，ＶＡＶを有する場合の概略構成および感染症病室の給排気に係る構成を示した機能ブロック図である。
【図６】従来の感染症病室の概略構成を示した平面図である。
【発明を実施するための形態】
【００２４】
本発明の実施の形態に係る感染症病室１０について、図１〜図４を参照して説明する。図１は、本発明の実施の形態に係る感染症病室１０の概略構成を示した平面図である。図２は、感染症病室１０の概略構成および感染症病室１０の給排気に係る構成を示した機能ブロック図、図３は、感染症病室１０の概略構成および感染症病室１０の給排気制御に係る構成を示した機能ブロック図、図４は、感染症病室１０に設けられている各種センサと、センサユニットとを示したブロック図である。
【００２５】
本発明の実施の形態に係る感染症病室１０は、病室１と、病室１への入退室に用いられる前室２と、病室１と前室２との間に配置されている遮断室５と、さらに洗面・トイレ室３とを有し、廊下４に沿って設けられている。
【００２６】
この感染症病室１０は、病室１と、遮断室５、前室２のそれぞれの室内の気圧が、前室２よりも病室１が低く、かつ病室１よりも遮断室５が低い陰圧（本実施の形態では、このような陰圧を特殊陰圧ともいう）になるように、それぞれの室内の気圧が保持されている。そして、感染症病室１０では、その特殊陰圧が保持されるように、給排気制御が行われている。また、感染症病室１０では、前室２の気圧が感染症病室１０の外部（例えば、本実施の形態では、廊下４）の気圧よりも低い陰圧に保持されている。
【００２７】
病室１には、室内に空気を取り込む病室給気ダクト１１と、室内の空気を室外に排出する病室排気ダクト１２とが設けられていて、そのそれぞれには、図示しない高性能フィルタ（例えば、ＨＥＰＡフィルタ）が収められている。また、病室１には、病室１と遮断室５との間に配置され、遮断室５から病室１への入室または病室１から遮断室５への退室に用いられる病室扉２３と、病室扉２３が開放されたことを検出する病室扉センサ５８が設けられている。病室扉２３には、病室扉２３を開放できないように施錠する病室ドアロック２３Ａ（図２には図示せず）が備えられている。洗面・トイレ室３には、室内に空気を取り込むトイレ室給気ダクト１５が設けられている。病室１には、室内の気圧を検出する病室用室圧センサ５６が接続されている。
【００２８】
前室２には、室内に空気を取り込む前室給気ダクト１３と、室内の空気を室外に排出する前室排気ダクト１４とが設けられていて、そのそれぞれには、図示しない高性能フィルタ（例えば、ＨＥＰＡフィルタ）が収められている。また、前室２には、前室２と遮断室５との間に配置され、遮断室５から前室２への入室または前室２から遮断室５への退室に用いられる遮断室扉２２と、遮断室扉２２が開放されたことを検出する遮断室扉センサ５７が設けられている。遮断室扉２２には、遮断室扉２２を開放できないように施錠する遮断室ドアロック２２Ａ（図２には図示せず）が備えられている。前室２には、室内の気圧を検出する前室用室圧センサ５５が接続されている。前室２には、廊下４からの入室に用いる廊下扉２１が設けられている。廊下扉２１には、廊下扉２１を開放できないように施錠する廊下ドアロック２１Ａ（図２には図示せず）が備えられている。
【００２９】
遮断室５には、室内に空気を取り込む遮断室給気ダクト１６と、室内の空気を室外に排出する遮断室排気ダクト１７とが設けられていて、そのそれぞれには、図示しない高性能フィルタ（例えば、ＨＥＰＡフィルタ）が収められている。遮断室５には、室内の気圧を検出する遮断室用室圧センサ５４が接続されている。
【００３０】
さらに、図２に示すように、感染症病室１０は、病室１、遮断室５および前室２に給気を行う給気ファン３１と、病室１、遮断室５および前室２の排気を行う排気ファン３２とが接続されている。
【００３１】
また、その給気ファン３１と、病室１、遮断室５および前室２との間にそれぞれ病室給気弁４３、遮断室給気弁４１、前室給気弁４２が配置されている。病室給気弁４３、遮断室給気弁４１、前室給気弁４２はいずれも一定風量の通気が行えるバルブ（定風量弁）などを有する装置であって、それぞれ病室給気ダクト１１、遮断室給気ダクト１６、前室給気ダクト１３と、給気ファン３１とに接続されている。
【００３２】
排気ファン３２と、病室１、遮断室５および前室２との間にそれぞれ病室排気弁５３、遮断室排気弁５１、前室排気弁５２が配置されている。病室排気弁５３、前室排気弁５２は、いずれも風量変更可能に通気が行えるバルブ（可変風量弁）などを有する装置であって、それぞれ病室排気ダクト１２、前室排気ダクト１４と排気ファン３２に接続されている。遮断室排気弁５１は、風量変更可能に通気が行えるバルブなどを有する装置であって、しかも、病室排気弁５３、前室排気弁５２よりも高速排気が行えるように、すなわち、短時間で排気が行える高速可変風量弁である。遮断室排気弁５１は、遮断室排気ダクト１７と排気ファン３２とに接続されている。
【００３３】
医者や看護師、医療スタッフは、感染病患者の治療等のために入室するときは、廊下４から前室２に入る。医者や看護師、医療スタッフは、感染防止のため、その前室２で全身を防護する無菌防護服に着替え、そのあと、いったん、遮断室５に入り、そのあと、病室１に入る。
【００３４】
そして、感染症病室１０では、特殊陰圧が保持されるように、給排気制御が行われている。その給排気制御が実行されるための構成について説明すると以下のとおりである。図３に示すように、感染症病室１０は、コントロールユニット２０と、センサユニット５０と、ドアロックユニット７０と、給気弁ユニット４０と、排気弁ユニット６０とを有し、そのそれぞれは図示しない接続手段（配線コードなど）によって電気的に接続されている。
【００３５】
コントロールユニット２０は、ＣＰＵ（Central Processing Unit）と、ＲＯＭ(Read Only Memory)と、ＲＡＭ（Random Access Memory）とを有している。そして、ＣＰＵがＲＯＭに記憶されているプログラムにしたがい作動して、センサユニット５０から入力される各種検出データに応じて制御データを給気ファン３１、排気ファン３２、ドアロックユニット７０、給気弁ユニット４０、排気弁ユニット６０に出力して、本発明の実施の形態に係る排気制御手段、給排気制御手段、給排気制御装置としての動作を実行する。
【００３６】
センサユニット５０は、各種センサの検出データをコントロールユニット２０に出力する手段であって、図４に示すように、遮断室用室圧センサ５４、前室用室圧センサ５５、病室用室圧センサ５６、遮断室扉センサ５７、病室扉センサ５８が接続されている。
【００３７】
ドアロックユニット７０は、コントロールユニット２０の出力データを各種ドアロックに出力する手段であって、病室ドアロック２３Ａ，遮断室ドアロック２２Ａ，廊下ドアロック２１Ａが接続されている。
【００３８】
給気弁ユニット４０は、コントロールユニット２０の出力データを各給気弁に出力する手段であって、病室給気弁４３、遮断室給気弁４１、前室給気弁４２が接続されている。
【００３９】
排気弁ユニット６０は、コントロールユニット２０の出力データを各排気弁に出力する手段であって、病室排気弁５３、遮断室排気弁５１、前室排気弁５２が接続されている。
【００４０】
そして、コントロールユニット２０は、センサユニット５０から出力される検出データにしたがい、次のように作動する。この場合、コントロールユニット２０は排気制御手段としての動作を行い、病室扉センサ５８または遮断室扉センサ５７のいずれか一方から、病室扉２３か遮断室扉２２のどちらかが開放されたことを示すデータ（扉開放データ）がセンサユニット５０を介して出力されたときに、遮断室排気弁５１を作動させる。遮断室排気弁５１は高速可変風量弁であるから、遮断室排気弁５１が作動することにより、病室排気弁５３や前室排気弁５２よりも風量の多い高速排気が行われる（遮断室排気弁５１が作動して得られる風量の多い気流を遮断気流ともいう）。この場合、コントロールユニット２０は、遮断室用室圧センサ５４の検出結果に応じて、特殊陰圧が保持されるように、遮断室排気弁５１による排気風量を増やしたり、減らしたりしてもよい。
【００４１】
病室扉２３か遮断室扉２２のどちらかが開放されたときには、その開放前の気圧差に起因して、病室１と遮断室５の気圧差がなくなるか、または、遮断室５と前室２の気圧差がなくなるか、のいずれか一方の事態が起こり得る。しかし、その場合、特殊陰圧が消失するおそれがある。遮断室排気弁５１は、ほかの排気弁よりも高速排気が可能なので、これが作動することで遮断気流が形成されて、遮断室５の室圧を他よりも低くすることができる。こうして、感染症病室１０では、特殊陰圧が保持されるようにしている。
【００４２】
また、コントロールユニット２０は、センサユニット５０から出力される検出データにしたがい、次のようにして給排気制御手段としての動作を行う。この場合、コントロールユニット２０は、病室用室圧センサ５６、遮断室用室圧センサ５４、前室用室圧センサ５５の検出結果にしたがい、病室１、遮断室５、前室２それぞれの給気弁か排気弁の双方か、またはどちらか一方を作動させる。病室１、遮断室５、前室２それぞれの給気弁は、病室給気弁４３、遮断室給気弁４１、前室給気弁４２であり、病室１、遮断室５、前室２それぞれの排気弁は、病室排気弁５３、遮断室排気弁５１、前室排気弁５２である。
【００４３】
病室１、遮断室５、前室２の室圧を検出した結果、それぞれの気圧差が特殊陰圧に必要な気圧差よりも小さい場合があり、中には気圧差が消失している場合も考えられる。そのような場合に、コントロールユニット２０は、特殊陰圧が保持されるように、給気弁か排気弁の双方か、どちらか一方を作動させる。こうすることにより、病室１、遮断室５、前室２に対して給気または排気が行われて、それぞれの室圧が調整されるため、特殊陰圧が保持される。そのため、コントロールユニット２０は、上記動作を行う。
【００４４】
さらに、コントロールユニット２０は、遮断室扉２２と病室扉２３の双方が同時に開放されないようにするため、次の動作を行う。コントロールユニット２０は、遮断室扉２２が開放されているときは病室扉２３を開放不可とし、病室扉２３が開放されているときは遮断室扉２２を開放不可とする。
【００４５】
この場合、コントロールユニット２０は、センサユニット５０を通じて、遮断室扉センサ５７、病室扉センサ５８が、遮断室扉２２か、病室扉２３のどちらか一方の扉開放データを出力したときに、他方が開放されないように、ドアロックユニット７０を介してロックデータを出力する。ロックデータは、病室ドアロック２３Ａまたは遮断室ドアロック２２Ａを作動させて、それぞれ病室扉２３か、遮断室扉２２を施錠するための制御データである。
【００４６】
以上のように、感染症病室１０では、病室１と、遮断室５、前室２のそれぞれの室内の気圧が、特殊陰圧になるように保持されている。そのため、感染症病室１０では、前室２よりも病室１が低く、かつ病室１よりも遮断室５が低くなるように、それぞれの室内の気圧が保持されている。前室２よりも病室１が低くなっていることで、前室２と病室１との関係でみると、病室１が陰圧である。すると、病室１に感染症患者が収容されていても、その患者が保有する病原菌が空気中に浮遊して、病室１の外に出ることはない。
【００４７】
しかも、病室１と、それに隣接する遮断室５との関係でみると、遮断室５が陰圧である。そのため、感染症患者が保有する病原菌が病室１から遮断室５に流出することはあっても、遮断室５から病室１に空気が流れ込むことはない。そのため、廊下４側の空気が前室２から遮断室５に流れこみ、一般細菌が遮断室５に入り込むことがあっても、その一般細菌がそこから病室１に入り込むことはない。
【００４８】
したがって、感染症病室１０では、感染症患者が保有している病原菌が外部に漏れ出ることが無いし、感染症患者が一般細菌に起因した別の感染症を併発することも無い。たとえ、感染症患者が免疫不全であっても、感染症患者が別の感染症を併発することはない。
【００４９】
また、病室１、遮断室５、前室２の入退室で病室扉２３，遮断室扉２２が開放されると、それぞれの気圧差に起因した気流が発生するため、特殊陰圧が保持されなくなる恐れがある。そのうえ、遮断室５は、病室１、遮断室５、前室２の中で最も気圧が低いから、感染症患者が保有している病原菌とともに一般細菌が入り込みやすい。
【００５０】
しかし、その場合は、コントロールユニット２０の制御によって、遮断室排気弁５１が作動するため、すばやく遮断室５の室圧を下げることができ、そのため、特殊陰圧が消失することはない。また、たとえ、感染症患者が保有している病原菌とともに一般細菌が遮断室５に入り込んでも、それらを遮断室排気ダクト１７の高性能フィルタによって捕獲できる。よって、遮断室５の衛生環境が維持される。
【００５１】
感染症病室１０では、病室給気弁４３、遮断室給気弁４１、前室給気弁４２として、ＣＡＶ（Constant Air Volume，定風量制御装置）が配置されることができる。また、病室排気弁５３、遮断室排気弁５１、前室排気弁５２として、ＶＡＶ（Variable Air Volume，可変風量制御装置）が配置されることもできる。例えば図５に示すように、感染症病室１０は、病室ＣＡＶ４３Ａ、遮断室ＣＡＶ４１Ａ、前室ＣＡＶ４２Ａを備え、病室ＶＡＶ５３Ａ、遮断室ＶＡＶ５１Ａ、前室ＶＡＶ５２Ａを備えることもできる。
【００５２】
ＣＡＶは、設定された風量が供給されるように、装置内の風速センサや差圧検出器で通過風速を計測したり、風量センサで通過風量を計測しながらダンパやプロペラを駆動して風量制御を行う。また、ＶＡＶは、要求風量信号によって風量を変化させるが、風速センサや差圧検出器で通過風速を計測したり、風量センサで通過風量を計測しながらダンパやプロペラを駆動して風量制御を行う。そのため、ＶＡＶは、ＣＡＶと同様に、設定された風量が供給されるように、制御できる。特に、遮断室ＶＡＶ５１Ａは、病室ＶＡＶ５３Ａや前室ＶＡＶ５２Ａよりも制御風量が大きく、単位時間あたりの供給風量が大きい機種が用いられる。
【００５３】
そして、感染症病室１０がＣＡＶおよびＶＡＶを有する場合、ＣＡＶ、ＶＡＶのそれぞれにおいて、特殊陰圧が保持されるように、供給される風量および排出される風量を設定しておくことで、室圧センサ（病室用室圧センサ５６、遮断室用室圧センサ５４、前室用室圧センサ５５）の検出結果に従うことなく（検出結果に応じた風量調節を行うことなく）特殊陰圧が保持されているようにすることができる。
【００５４】
特殊陰圧が保持されているためには、前室２、病室１、遮断室５の順番にそれぞれの室内の気圧が低くなった状態が保持される必要がある。そのため、例えば、ＣＡＶ（病室ＣＡＶ４３Ａ、遮断室ＣＡＶ４１Ａ、前室ＣＡＶ４２Ａ）で供給される風量およびＶＡＶ（病室ＶＡＶ５３Ａ、遮断室ＶＡＶ５１Ａ、前室ＶＡＶ５２Ａ）で排出される風量が次のパターンａ，ｂ，ｃ（パターンａ，ｂ，ｃを風量パターンともいう）に設定されることによって、特殊陰圧が保持されているようにすることができる。
【００５５】
ａ  前室２、病室１、遮断室５の順番に給気量が減少し、かつ前室２、病室１、遮断室５の排気量が一定の大きさに設定されているパターン
ｂ  前室２、病室１、遮断室５の給気量が一定の大きさに設定され、かつ前室２、病室１、遮断室５の順番に排気量が増加するように設定されているパターン
ｃ  前室２、病室１、遮断室５の順番に給気量が減少し、かつ前室２、病室１、遮断室５の順番に排気量が増加するように設定されているパターン
【００５６】
例えば、パターンａの場合、前室ＣＡＶ４２Ａ、病室ＣＡＶ４３Ａ、遮断室ＣＡＶ４１Ａの給気量Ｃ２、Ｃ１、Ｃ５がそれぞれ"６０"、"５０"、"３０"に設定され、前室ＶＡＶ５２Ａ、病室ＶＡＶ５３Ａ、遮断室ＶＡＶ５１Ａの排気量Ｖ２、Ｖ１、Ｖ５がそれぞれ"７０"、"７０"、"７０"に設定される場合が考えられる（以下、この場合の設定風量を「風量パターンａの設定風量」ともいう）。この場合、前室２では、給気量Ｃ２が"６０"に対して、排気量Ｖ２が"７０"なので、室内の空気が差し引きマイナス"１０"になる。また、病室１では、給気量Ｃ１が"５０"に対して、排気量Ｖ１が"７０"なので、室内の空気が差し引きマイナス"２０"になる。同様に、遮断室５では、室内の空気が差し引きマイナス"４０"になる。よって、前室２、病室１、遮断室５の順番にそれぞれの室内の気圧が低くなった状態が得られるため、特殊陰圧が保持されるようにすることができる。
【００５７】
しかし、この場合でも、病室扉センサ５８、遮断室扉センサ５７のどちらかが、扉（病室扉２３、遮断室扉２２）が開放されたことを検出したときは、病室１、前室２から遮断室５への空気の流れ込みが発生し、特殊陰圧が消失するおそれがある。そのため、病室扉２３、遮断室扉２２の開放に連動して遮断室ＶＡＶ５１Ａによる高速排気が行えるように、病室扉センサ５８および遮断室扉センサ５７は作動状態を継続させ、それぞれの検出結果を用いる。
【００５８】
感染症病室１０が以上のようなＣＡＶ（Constant Air Volume，定風量制御装置）、ＶＡＶ（Variable Air Volume，可変風量制御装置）を備えることによって、感染症病室１０は、室圧センサ（病室用室圧センサ５６、遮断室用室圧センサ５４、前室用室圧センサ５５）の検出結果に従い風量が調節されるモード（定常モードともいう）に加え、室圧センサ（病室用室圧センサ５６、遮断室用室圧センサ５４、前室用室圧センサ５５）の検出結果に従うことなく風量が設定されているモード（簡易モードともいう）でも、各ＣＡＶおよび／またはＶＡＶが作動するように、給排気制御手段としてのコントロールユニット２０が構成されることができる。簡易モードでは、例えば、室圧センサの検出結果に関わらず、各ＣＡＶ、ＶＡＶの風量が前述した風量パターンａの設定風量に設定されるように、コントロールユニット２０が構成される。すると、簡易モードでは、室圧センサが作動する必要がないので、感染症病室１０の運用に要する費用（ランニングコスト）を削減する効果が期待できる。
【００５９】
そして、例えば、病室扉センサ５８、遮断室扉センサ５７の開放が少ない時間帯（例えば、夜間や早朝）は、感染症病室１０が簡易モードで作動し、それ以外は、感染症病室１０が定常モードで作動するように給排気制御手段を構成することもできる。このようにすると、感染症病室１０のランニングコストを削減しつつ、きめ細かい風量制御を行い、特殊陰圧が保持されるようにすることができる。
【００６０】
さらに、室圧センサ（病室用室圧センサ５６、遮断室用室圧センサ５４、前室用室圧センサ５５）を省き、感染症病室１０が簡易制御モードだけで作動するように構成されてもよい。こうすると、感染症病室１０の設置費用をも削減する効果が期待できる。
【００６１】
感染症病室１０は、以上述べた感染症患者を収容する感染症用途だけでなく、無菌病室用途でも利用できる。そのため、１つの病院施設を２つの用途で利用できるため、病院施設の有効利用が図られ、施設の運用効率が高くなる。感染症病室１０は、感染症法の第一種、第二種病室の基準に適した病室として申請することもできる。無菌治療用の病室は、病室１の空間が清浄度クラス６または清浄度クラス７が維持される（JIS B 9920）。
【符号の説明】
【００６２】
１…病室、２…前室、５…遮断室、１０…感染症病室、１１…病室給気ダクト、１２…病室排気ダクト、１３…前室給気ダクト、１４…前室排気ダクト、１６…遮断室給気ダクト、１７…遮断室排気ダクト、２０…コントロールユニット、２２…遮断室扉、２３…病室扉、３１…給気ファン、３２…排気ファン、４１…遮断室給気弁、４２…前室給気弁、４３…病室給気弁、５１…遮断室排気弁、５２…前室排気弁、５３…病室排気弁、５４…遮断室用室圧センサ、５５…前室用室圧センサ、５６…病室用室圧センサ、５７…遮断室扉センサ、５８…病室扉センサ、４１Ａ…遮断室ＣＡＶ、４２Ａ…前室ＣＡＶ、４３Ａ…病室ＣＡＶ、５１Ａ…遮断室ＶＡＶ、５２Ａ…前室ＶＡＶ、５３Ａ…病室ＶＡＶ。
【図１】
2020054791.tif 000003
【図２】
2020054791.tif 000004
【図３】
2020054791.tif 000005
【図４】
2020054791.tif 000006
【図５】
2020054791.tif 000007
【図６】
2020054791.tif 000008